(57)【要約】【課題】  飛灰を脱塩処理後、セメントキルンにスラリーとして添加して原料化するにあたり、スラリー輸送用配管及び散気装置におけるスケールの成長を防止し、安定して飛灰をセメント原料として有効利用することなどを可能とする。【解決手段】  槽２内でカルシウム含有水Ｗに散気を行う散気装置であって、回転軸３を介して散気ガスＧを送り、回転軸３に放射状に取り付けた円筒形散気ノズル５の円筒側面に形成した隙間より散気する。散気ノズルは、スプリング式とすることができ、放射状に取り付けられた散気ノズル５は、槽２内の流体抵抗によって撓み、回転軸３は２方向に回転可能とすることが好ましい。散気ノズル５を、槽２の下側３０％の高さ範囲に設置し、槽２内に、粒状媒体を備えることが好適である。回転軸３にさらに撹拌翼４を装着したり、撹拌翼４と散気ノズル５を別々の回転軸に取り付けてもよい。【選択図】  図１
2007007598.tif 000002
【特許請求の範囲】
【請求項１】
槽内でカルシウム含有水に散気を行うカルシウム含有水への散気装置であって、回転軸を介して散気ガスを送り、該回転軸に放射状に取り付けた円筒形散気ノズルの円筒側面に形成した隙間より散気を行うことを特徴とするカルシウム含有水への散気装置。
【請求項２】
前記散気ノズルは、スプリング式であることを特徴とする請求項１に記載のカルシウム含有水への散気装置。
【請求項３】
前記放射状に取り付けられた散気ノズルは、前記槽内の流体抵抗によって撓むように構成され、前記回転軸は２方向に回転可能であることを特徴とする請求項１又は２に記載のカルシウム含有水への散気装置。
【請求項４】
前記散気ノズルを、前記槽の下側３０％の高さ範囲に設置したことを特徴とする請求項１、２又は３に記載のカルシウム含有水への散気装置。
【請求項５】
前記槽内に、粒状媒体を備えることを特徴とする請求項１乃至４のいずれかに記載カルシウム含有水への散気装置。
【請求項６】
前記散気ノズルの回転軸に、さらに撹拌翼を装着し、カルシウム含有水の散気及び攪拌を行うことを特徴とする請求項１乃至５のいずれかに記載のカルシウム含有水への散気装置。
【請求項７】
前記撹拌翼と前記散気ノズルを、互いに異なる回転軸に装着し、前記散気ノズルの回転速度又は／及び回転方向を可変としたことを特徴とする請求項６に記載のカルシウム含有水への散気装置。
【請求項８】
請求項１乃至７のいずれかに記載の散気装置を用いて、カルシウム含有水に炭酸ガスを含む燃焼ガスを散気しながら撹拌することを特徴とするカルシウム含有水への散気方法。
【請求項９】
前記カルシウム含有水が、焼却飛灰を含むスラリーであり、該スラリーのｐＨを８．５以上、１１．５以下とすることを特徴とする請求項８に記載のカルシウム含有水への散気方法。
【請求項１０】
前記散気ノズルに、散気ガス逆流防止装置を取り付け、該カルシウム含有水への散気装置の停止時には、該散気ノズルに前記散気ガス以外のガスを導入することを特徴とする請求項８又は９に記載のカルシウム含有水への散気方法。
【発明の詳細な説明】
【技術分野】
【０００１】
本発明は、装置内におけるスケールの成長を防止し、スラリー化した飛灰をセメント原料として有効利用することなどを可能としたカルシウム含有水への散気装置及び散気方法に関する。
【背景技術】
【０００２】
焼却設備等から発生する飛灰は、該飛灰に含まれる塩素がセメント原料として利用する際の障害となるため、水洗により脱塩処理を行った後、セメントキルンにスラリーとして添加されている。
【０００３】
しかし、この飛灰溶解スラリーには、消石灰等のカルシウム成分が多く含まれているため、スラリー輸送用配管等にスケールが成長し、配管等に付着したスケールを定期的に除去する必要があり、飛灰の原料化装置の稼働率を下げる大きな要因となっている。
【０００４】
そこで、例えば、特許文献１には、 飛灰を溶解した水を収容した飛灰無害化槽に、中和用の炭酸ガスを含む排ガスを吹き出しノズルから吹き込むにあたって、排ガスの吹き出しノズルに炭酸カルシウムのスケールが付着してノズルが閉塞することを防止するため、中和によって生成された炭酸カルシウムを濃縮した上、種晶として種晶戻し配管より飛灰無害化槽へ再循環させる技術が開示されている。
【０００５】
また、特許文献２には、飛灰溶解スラリーに炭酸ガスを吹き込むことにより、スラリーに溶解したカルシウム成分を析出させる方法がスケールの成長防止に有効であることが記載され、炭酸ガスを吹き込むため、弾性を有するゴムからなり、ガスの吹き込み前には平面形状を呈し、ガスが吹き込まれると外側に膨出することにより、表面に付着したスケールを除去することが可能な散気板が開示されている。
【０００６】
【特許文献１】特開平８−１０８０３８号公報
【特許文献２】国際公開ＷＯ２００４／０３０８３９号公報
【発明の開示】
【発明が解決しようとする課題】
【０００７】
しかし、上記特許文献１に記載の飛灰の排ガス中和方法においては、炭酸カルシウムのスケールによるノズルの閉塞を防止できたとしても、炭酸カルシウムを濃縮した上、種晶として種晶戻し配管より飛灰無害化槽へ再循環させる設備が必要になるという問題があった。
【０００８】
一方、特許文献２に記載のカルシウム含有粉体の処理方法及び装置においては、上記構造を有する散気板を用いたとしても、例えば、当初弾性を有していたゴムが硬化することにより散気板が析出物で頻繁に閉塞してしまうため、スラリー輸送用配管等の掃除に代えて、散気装置を掃除する手間が増加する結果となっていた。
【０００９】
そこで、本発明は、上記従来の技術における問題点に鑑みてなされたものであって、焼却設備等から発生する飛灰を、水洗により脱塩処理を行った後、セメントキルンにスラリーとして添加して原料化するにあたり、スラリー輸送用配管、及びスラリーに溶解したカルシウム成分を析出させる散気装置におけるスケールの成長を防止し、安定して飛灰をセメント原料として有効利用することなどを可能とするカルシウム含有水への散気装置及び散気方法を提供することを目的とする。
【課題を解決するための手段】
【００１０】
上記目的を達成するため、本発明は、槽内でカルシウム含有水に散気を行う装置であって、回転軸を介して散気ガスを送り、該回転軸に放射状に取り付けた円筒形散気ノズルの円筒側面に形成した隙間より散気を行うことを特徴とする。
【００１１】
そして、本発明によれば、回転軸に放射状に取り付けた円筒形散気ノズルの円筒側面に形成した隙間よりカルシウム含有水に散気を行うため、隙間が散気ガスの圧力によって拡げられること、及び散気ノズルの断面が円形となっていることにより、析出物による散気ノズルの閉塞を効果的に防止することができる。
【００１２】
前記カルシウム含有水への散気装置において、前記散気ノズルをスプリング式とし、隣接するばね部材の間隙より散気ガスを槽内に吹き込むことにより、析出物による散気ノズルの閉塞をより効果的に防止することができる。
【００１３】
前記放射状に取り付けられた散気ノズルを、前記槽内の流体抵抗によって撓むように構成し、前記回転軸を２方向に回転可能とすることができる。これによって、定期的に散気ノズルを反転させることができ、散気ノズルに付着したスケールを落下させることができる。
【００１４】
前記散気ノズルを、前記槽の下側３０％の高さ範囲に設置することにより、槽内の低い領域に存在する粗粒子をスケールの掻き落としに利用することができる。
【００１５】
また、前記槽内に、粒状媒体を備えることにより、スケールの掻き落としに利用することのできる粗粒子をカルシウム含有水中に含まない場合でも、媒体を利用してスケールを掻き落とし、散気ノズルにおけるスケールの成長を防止することができる。
【００１６】
前記散気ノズルの回転軸に、さらに撹拌翼を装着し、カルシウム含有水の散気及び攪拌を行うことを特徴とする。撹拌翼によってカルシウム含有水を撹拌し、散気ノズルから供給された気体と、カルシウム含有水との反応を促進することができる。
【００１７】
前記カルシウム含有水への散気装置において、前記撹拌翼と前記散気ノズルを、互いに異なる回転軸に装着し、前記散気ノズルの回転速度又は／及び回転方向を可変とすることができる。これによって、装置の散気性能及び撹拌性能を調整することができる。
【００１８】
さらに、本発明は、カルシウム含有水への散気方法であって、前記散気装置を用いて、カルシウム含有水に炭酸ガスを含む燃焼ガスを散気しながら撹拌することを特徴とする。
【００１９】
本発明によれば、カルシウム含有水に炭酸ガスを吹き込みながら撹拌することにより、カルシウム含有水に溶解したカルシウム成分が析出し、輸送用配管等のスケールの成長防止に有効であるとともに、散気装置が析出物で閉塞する問題も解消することができるため、例えば、飛灰を水洗して得られたスラリーをセメント原料として有効利用する際に好適である。
【００２０】
前記カルシウム含有水が、焼却飛灰を含むスラリーであり、該スラリーのｐＨを８．５以上、１１．５以下とすることができる。これによって、スラリーに溶存するカルシウム成分の量を低減し、スケールの析出量を減少させることができる。
【００２１】
前記カルシウム含有水への散気方法において、前記散気ノズルに、散気ガス逆流防止装置を取り付け、該カルシウム含有水への散気装置の停止時には、該散気ノズルに前記散気ガス以外のガス、例えば、空気を導入することにより、カルシウム含有水の散気を停止している間に散気ノズルの中にカルシウム含有水等が入り込まないようにすることができる。
【発明の効果】
【００２２】
以上のように、本発明にかかるカルシウム含有水への散気装置及び散気方法によれば、水洗により脱塩処理を行った飛灰含有スラリーをセメントキルンに原料として添加するにあたり、スラリー輸送用配管、及びスラリーに溶解したカルシウム成分を析出させる散気装置におけるスケールの成長を防止することができ、安定して飛灰をセメント原料として有効利用することなどが可能となる。
【発明を実施するための最良の形態】
【００２３】
図１は、本発明にかかるカルシウム含有水への散気装置の一実施の形態を示し、この散気装置１は、カルシウム含有水Ｗを収容する円筒状の溶解槽２と、溶解槽２の中心部で回転する回転軸３と、回転軸３に放射状に装着され、カルシウム含有水Ｗを撹拌する撹拌翼４と、撹拌翼４の下方において回転軸３に放射状に装着され、カルシウム含有水Ｗに散気する回転式散気ノズル５と、回転軸３を回転させるためのモータ６と、カルシウム含有水Ｗの供給管１０及び排出管１１等で構成される。
【００２４】
溶解槽２は、円筒状に形成され、その中心部を鉛直方向に回転軸３が延設される。溶解槽２の上面には、カルシウム含有水Ｗを溶解槽２に供給するための供給管１０が設けられ、溶解槽２の下部には、溶解槽２からカルシウム含有水Ｗを排出するための排出管１１が設けられる。
【００２５】
回転軸３には、プーリ７、ベルト８及びプーリ９を介してモータ６の駆動力が伝達され、回転軸３が溶解槽２の内部で回転し、これに伴い、撹拌翼４と回転式散気ノズル５とが回転する。また、回転軸３の内部には、散気ガスＧの流路が形成され、回転軸３を介して散気ガスＧが回転式散気ノズル５に供給される。
【００２６】
撹拌翼４は、溶解槽２内のカルシウム含有水Ｗを撹拌するために設けられ、回転軸３に３枚放射状に取り付けられている。
【００２７】
回転式散気ノズル（以下、「散気ノズル」と略称する）５は、溶解槽２内のカルシウム含有水Ｗに散気するために設けられ、撹拌翼４の下方において、回転軸３に放射状に８本取り付けられている。この散気ノズル５は、図２及び図３に示すように、スプリング式ノズルと呼ばれるものであって、巻回されたばね部材５ａの各々には、図４に示すように、突起５ｂが設けられ、この突起５ｂによって隣接するばね部材５ａ間に隙間が形成される。そして、図２に示すように、開口部５ｃから導入された散気ガスＧが、ばね部材５ａの隙間から図１の溶解槽２内のカルシウム含有水Ｗに放出される。
【００２８】
次に、上記構成を有する散気装置１の動作について、図１及び図２を参照しながら説明する。
【００２９】
モータ６を運転し、モータ６の動力をプーリ７、ベルト８及びプーリ９を介して回転軸３に伝達し、回転軸３を回転させる。同時に、図示しない散気ガス供給装置から回転軸３の内部に散気ガスＧを供給する。
【００３０】
図示しない供給装置から、供給管１０を介して溶解槽２内にカルシウム含有水Ｗを供給する。回転軸３の回転に伴い撹拌翼４及び散気ノズル５が回転し、撹拌翼４によって溶解槽２内のカルシウム含有水Ｗが撹拌される。また、散気ノズル５に回転軸３を介して供給された散気ガスＧが溶解槽２内のカルシウム含有水Ｗに散気される。これによって、溶解槽２内において、カルシウム含有水Ｗに散気ガスＧが散気されながら、カルシウム含有水Ｗが撹拌され、カルシウム含有水Ｗと散気ガスＧの反応が促進される。
【００３１】
また、散気ノズル５にスプリング式ノズルを用いているため、隣接するばね部材５ａの間隙から散気ガスＧを槽内に吹き込むことができ、ばね部材５ａの間隙が散気ガスＧの圧力によって拡げられること、ばね部材５ａの断面が円形となっていること、及び散気ノズル５全体が流体抵抗により回転方向とは反対側に撓むことなどにより、析出物による散気ノズル５の閉塞をより効果的に防止することができる。
【００３２】
尚、上記実施の形態において、回転軸３を２方向に回転可能とすることにより、定期的に散気ノズル５を反転させることができ、散気ノズル５に付着したスケールを落下させることができる。
【００３３】
また、上記実施の形態においては、撹拌翼４及び散気ノズル５を同一の回転軸３に装着したが、撹拌翼４及び散気ノズル５を互いに異なる回転軸に装着し、これらの回転軸の回転速度及び回転方向を可変とし、所望の散気性能を発揮させることもできる。
【００３４】
さらに、溶解槽２内に散気ノズル５への付着物を摩擦して削ぎ落とすための粒状物等の媒体を投入してもよく、特に、粗い粒子を含有しないカルシウム含有水を取り扱う場合には効果的である。
【００３５】
図５は、上記図２乃至図４に示した散気ノズル５に代えて用いることのできるスリット式の散気ノズル１５を示す。この散気ノズル１５は、図１に示した回転軸３に放射状に複数本取り付けることができ、図５に示すように、右端部に開口部１５ｄを備え、左端部が閉じられた円筒状の本体１５ａには、上下のスリット１５ｂと、左右のスリット１５ｃとが形成される。そして、同図に示すように、開口部１５ｄから導入された散気ガスＧが、上下スリット１５ｂと、左右スリット１５ｃから図１の溶解槽２内のカルシウム含有水Ｗに放出される。
【００３６】
この散気ノズル１５により、散気ノズル５を使用した場合と同様に、上下スリット１５ｂと、左右スリット１５ｃから散気ガスＧを槽内に吹き込むことができ、上下スリット１５ｂ及び左右スリット１５ｃが散気ガスＧの圧力によって拡げられること、本体１５ａの断面が円形となっていること、及び散気ノズル１５全体が流体抵抗により回転方向とは反対側に撓むことなどにより、析出物による散気ノズル１５の閉塞を効果的に防止することができる。
【００３７】
尚、上記実施の形態においては、撹拌翼４と散気ノズル５（１５）とを回転軸３に装着した散気装置１について説明したが、回転軸３に散気ノズル５（１５）のみを装着した散気装置とすることも可能である。
【００３８】
また、上記実施の形態においては、カルシウム含有水に散気する場合について説明したが、カルシウム含有水と粉体とが共存するカルシウム含有スラリに本発明にかかる散気装置及び散気方法を用いて散気を行うことができることはもちろんである。
【実施例】
【００３９】
次に、図１乃至図４に示した散気装置１を用いたカルシウム含有水への散気方法の実施例として、炭酸ガスを含む燃焼排ガスを散気ガスとして、焼却飛灰を含むスラリーに吹き込むことにより、スラリーに溶解したカルシウム成分を析出させる場合を例にとって説明する。
【００４０】
図示しない散気ガス供給装置から回転軸３の内部に散気ガスＧを供給し、モータ６を運転して回転軸３を回転させる。飛灰と水とを混合してスラリー化し、供給管１０から溶解槽２へ供給する。回転軸３の回転により、撹拌翼４及び散気ノズル５が回転し、溶解槽２内のスラリーＳに散気ガスＧを吹き込みながら撹拌する。
【００４１】
上述のようにして、スラリーＳに吹き込まれた散気ガスＧには、炭酸ガスが含まれているため、スラリーＳに溶解したカルシウム成分が炭酸カルシウムとして析出する。散気ガスＧとの反応が完了したスラリーＳは、排出管１１より排出される。尚、この際、溶解槽２内のスラリーＳに溶存するカルシウム成分の量を低減し、スケールの析出量を減少させるため、溶解槽２内のスラリーＳのｐＨを８．５以上、１１．５以下に調整することが好ましい。
【００４２】
上記操作によって、飛灰に含まれる塩素が水洗により脱塩され、脱塩後のスラリー固形分をセメントキルンに添加してセメント原料として利用することができる。
【図面の簡単な説明】
【００４３】
【図１】本発明にかかるカルシウム含有水への散気装置の一実施の形態を示す一部断面図である。
【図２】図１の散気装置のスプリング式散気ノズルを示す断面図である。
【図３】図２のスプリング式ノズルのばね部材を示す斜視図である。
【図４】図２のスプリング式ノズルのばね部材に形成された突起を示す斜視図である。
【図５】図１のカルシウム含有水への散気装置に用いることのできるスリット式散気ノズルを示す図であって、（ａ）は正面図、（ｂ）は上面図である。
【符号の説明】
【００４４】
１  カルシウム含有水への散気装置
２  溶解槽
３  回転軸
４  撹拌翼
５  散気ノズル
５ａ  ばね部材
５ｂ  突起
５ｃ  開口部
６  モータ
７  プーリ
８  ベルト
９  プーリ
１０  供給管
１１  排出管
１５  散気ノズル
１５ａ  本体
１５ｂ  上下スリット
１５ｃ  左右スリット
１５ｄ  開口部
Ｇ  散気ガス
Ｓ  スラリー
Ｗ  カルシウム含有水
【図１】
2007007598.tif 000003
【図２】
2007007598.tif 000004
【図３】
2007007598.tif 000005
【図４】
2007007598.tif 000006
【図５】
2007007598.tif 000007